(57)【要約】【課題】水中での沈降時に、フラッピング動作を繰り返すことができ、釣ろうとする魚に興味を持たせ、集魚効果を高めることができるようにした釣り用ルアーを提供する。【解決手段】芯材となるメインプレート２の各側面に、それぞれ厚さの異なるウィングプレート３、４を固着し、側面視において流線形とした釣り用ルアー１において、薄肉側のウィングプレート４の外側角部の面取り曲率半径Ｒ１を、厚肉側のウィングプレート３の外側角部の面取り曲率半径Ｒ２より大とする。【選択図】  図３
2019000039.tif 000002
【特許請求の範囲】
【請求項１】
芯材となるメインプレートの各側面に、それぞれ厚さの異なるウィングプレートを固着し、側面視において流線形とした釣り用ルアーにおいて、
薄肉側のウィングプレートの外側角部の面取り曲率半径Ｒ１を、厚肉側のウィングプレートの外側角部の面取り曲率半径Ｒ２より大としたことを特徴とする釣り用ルアー。
【請求項２】
１．０mm≦Ｒ１≦２．０mm、かつ０mm≦Ｒ２≦０．５mmとした請求項１記載の釣り用ルアー。
【請求項３】
前記メインプレートおよび両ウィングプレートをスチール製とした請求項１または２記載の釣り用ルアー。
【請求項４】
前記両ウィングプレートの少なくともいずれか一方の外側面に、ホログラムシートを貼着した請求項１〜３のいずれかに記載の釣り用ルアー。
【発明の詳細な説明】
【技術分野】
【０００１】
本発明は、メタルジグタイプの釣り用ルアーに関する。
【背景技術】
【０００２】
メタルジグタイプの釣り用ルアーには、例えば３層構造としたもの（例えば、特許文献１または２参照）、アイの取り付けを容易としたもの（例えば、特許文献３参照）、表面に微細光学フィルムを貼着したもの（例えば、特許文献４参照）等、多種多様なものが提供されている。
【先行技術文献】
【特許文献】
【０００３】
【特許文献１】特開２００５−１９２５１２号公報
【特許文献２】特開２０１０−０９４１０３号公報
【特許文献３】特開２０１１−１３０６７６号公報
【特許文献４】特開２０１６−０８６８０８号公報
【発明の概要】
【発明が解決しようとする課題】
【０００４】
しかし、メタルジグタイプの釣り用ルアーは、材質が金属製で、比重が大であり、水中での沈降速度が速いという特徴を有しており、それ故に、水中での動きを、生き餌の動きに似させて、釣ろうとする魚に興味を持たせるということが困難である。
【０００５】
本発明は、従来の技術が有する上記のような問題点に鑑みてなされたものであり、水中での沈降時に、フラッピング動作を繰り返すことができ、釣ろうとする魚に興味を持たせ、集魚効果を高めることができるようにした釣り用ルアーを提供することを目的としている。
【課題を解決するための手段】
【０００６】
本発明によると、上記課題は、次のようにして解決される。
（１）芯材となるメインプレートの各側面に、それぞれ厚さの異なるウィングプレートを固着し、側面視において流線形とした釣り用ルアーにおいて、薄肉側のウィングプレートの外側角部の面取り曲率半径Ｒ１を、厚肉側のウィングプレートの外側角部の面取り曲率半径Ｒ２より大とする。
【０００７】
このような構成によると、この釣り用ルアーを、メインプレートの中心軸線Ｃをほぼ水平として、水中に落下させると、厚肉側のウィングプレートが下位となり、全体が中心軸線Ｃを中心として、往復揺動運動するフラッピング動作を繰り返しつつ下降する。
このフラッピング動作により、釣ろうとする魚が興味を抱くようになり、集魚効果を高めることができる。
【０００８】
（２）上記(１)項において、１．０mm≦Ｒ１≦２．０mm、かつ０mm≦Ｒ２≦０．５mmとする。
【０００９】
このような構成によると、釣り用ルアーを水中に落下させたとき、確実にフラッピング動作を起こさせることができることが実験により確かめられている。
【００１０】
（３）上記(１)または(２)項において、前記メインプレートおよび両ウィングプレートをスチール製とする。
【００１１】
このような構成によると、耐久性のよい釣り用ルアーを提供することができる。
【００１２】
（４）上記(１)〜(３)項のいずれかにおいて、両ウィングプレートの少なくともいずれか一方の外側面に、ホログラムシートを貼着する。
【００１３】
このような構成によると、ホログラムシートが、釣り用ルアーのフラッピング動作により、ひらひらと移動させられ、釣ろうとする魚に、より大きな注意を喚起し、集魚効果を高めることができる。
【発明の効果】
【００１４】
本発明によると、水中での沈降時に、フラッピング動作を繰り返し、釣ろうとする魚に興味を持たせるようにした釣り用ルアーを提供することができる。
【図面の簡単な説明】
【００１５】
【図１】本発明の釣り用ルアーの一実施形態の正面図である。
【図２】同じく、平面図である。
【図３】図１のIII−III線に沿う拡大縦断側面図である。
【図４】図１に示すルアーを水中に入れたときの状態を示す正面図である。
【図５】図４のV−V線より見たときの側面図である。
【図６】図５に示すルアーの水中での沈下の状況を示す説明図である。
【発明を実施するための形態】
【００１６】
以下、本発明の釣り用ルアーの一実施形態を、図面に基づいて説明する。
【００１７】
図１〜図３に示すように、この釣り用ルアー１(以下、単にルアーという)は、芯材となるメインプレート２の各側面に、それぞれ厚さの異なるウィングプレート３、４を固着し、側面視において流線形としたものよりなっている。
【００１８】
メインプレート２の厚さｔ１＝２．５mm、厚肉のウィングプレート３の厚さｔ２＝３．２mm、薄肉のウィングプレート４の厚さｔ３＝２．３mm、ルアー１全体の厚さＴ＝８．０mmとしてある。
【００１９】
メインプレート２およびウィングプレート３、４は、いずれもスチール製(炭素鋼およびステンレス鋼を含む)とするのが好ましい。
ここでは、メインプレート２はステンレス鋼、ウィングプレート３、４は炭素鋼としてある。
このように、メインプレート２およびウィングプレート３、４をスチール製とすることにより、耐久性のよい釣り用ルアーを提供することができるが、スチール以外の金属製とすることもできる。
また、これらの材質を互いに異ならせることもできる。
例えば、水中に入れたとき、厚肉のウィングプレート３が下位となるように、ウィングプレート３の材質を、他のウィングプレート４やメインプレート２の材質よりも比重の大きいものとすることも好ましい。
【００２０】
ルアー１全体の質量は１５０ｇ、全長Ｌ＝１８７mm、上下幅Ｗ＝１９mmである。
ウィングプレート３、４の全長は、メインプレート２の全長Ｌより小とし、メインプレート２の両端部における両ウィングプレート３、４の両端から外れた部分には、釣り糸やフック(いずれも図示略)を挿通させたり、係止させたりするための通し孔５、６が設けられている。
【００２１】
両ウィングプレート３、４の両端部の１５mmの範囲には、厚さを両端に向かって漸次小とした傾斜面３ａ、３ｂ、４ａ、４ｂが形成されている。
ルアー１全体の外表面は、コーティング材(図示略)によりコーティングされている。
また、両ウィングプレート３、４の外側面には、ホログラムシート７が貼着されており、さらにそのホログラムシート７の一方の端部寄りには、魚の目を模倣した模様８が貼着されている。
【００２２】
図３に示すように、薄肉側のウィングプレート４における上下の外側角部には、面取り曲率半径Ｒ１＝１．５mmとした面取りが施されている。
厚肉側のウィングプレート３における上下の外側角部には、特別な面取り加工は施していないが、ルアー１全体の外表面をコーティング材によりコーティングした結果、面取り加工したのと同様の曲面が形成されているので、これを面取りしたものと見做して、この面取り曲率半径Ｒ２＝０．５mm以下としてある。
【００２３】
このルアー１を、図４および図５に示すように、メインプレート２の中心軸線Ｃをほぼ水平として、水中に落下させると、厚肉側のウィングプレート３が下位となり、図６に示すように、全体が中心軸線Ｃを中心として、ひらひらと落葉状に往復揺動運動するフラッピング動作を繰り返しつつ下降する。
このフラッピング動作により、釣ろうとする魚に興味を持たせ、集魚効果を高めることができる。
【００２４】
また、両ウィングプレート３、４の外側面には、ホログラムシート７や模様８が貼着されているので、ルアー１がフラッピング動作するとき、ホログラムシート７や模様８がひらひらと移動させられ、フラッピング動作が強調され、釣ろうとする魚により大きな注意を喚起し、集魚効果を高めることができる。
【００２５】
このようなフラッピング動作を生じさせる要因を解明するため、ルアー１の全長Ｌ、上下幅Ｗ、厚さＴ、面取りＲの有無、面取りＲの大きさを変化させて、フラッピング動作が生じるか否かを調べた結果を表１に示す。
表１において、面取りＲの有無の欄の「無」とは、面取り曲率半径が、０．５mm以下、すなわち０〜０．５mmの範囲にあることを意味する。
【００２６】
評価の○は、フラッピング動作が確認されたもの、△は、フラッピング動作がわずかだけ確認されたもの、×は、フラッピング動作が全く確認できなかったものを示す。試作番号PR30-031-Aが、上記実施形態のルアー１である。
【００２７】
この表１から、薄肉側のウィングプレート４の外側角部の面取り曲率半径Ｒ１を、厚肉側のウィングプレート３の外側角部の面取り曲率半径Ｒ２より大とすることにより、フラッピング動作が生じる可能性が大であることがわかる。
また、厚肉側のウィングプレート３の外側角部には、面取りを行わないか、または０mm≦Ｒ２≦０．５mmとし、薄肉側のウィングプレート４の外側角部の面取り曲率半径Ｒ１を、１．０mm≦Ｒ１≦２．０mmとすることにより、フラッピング動作が生じることがわかる。
【００２８】
【表１】
2019000039.tif 000003
【００２９】
以上から明らかなように、本発明の釣り用ルアーによると、水中での沈降時に、フラッピング動作を繰り返すことができ、釣ろうとする魚に興味を持たせ、集魚効果を高めることができる。
【００３０】
本発明は、上記実施形態のみに限定されるものではなく、特許請求の範囲を逸脱することなく、例えば、次のような幾多の変形した態様での実施が可能である。
(１)  ホログラムシート７や魚の目を模倣した模様８を削除する。
(２)  ホログラムシート７や魚の目を模倣した模様８を、両ウィングプレート３、４のいずれか一方の外側面のみに設ける。
(３)  ルアー１の一方の側面を平滑面とし、かつ他方の側面を粗面とする。
【符号の説明】
【００３１】
１  釣り用ルアー
２  メインプレート
３  ウィングプレート
３ａ、３ｂ  傾斜面
４  ウィングプレート
４ａ、４ｂ  傾斜面
５、６  通し孔
７  ホログラムシート
８  模様
Ｌ  全長
Ｒ  面取り
Ｒ１、Ｒ２  面取り曲率半径
Ｔ、ｔ１、ｔ２、ｔ３  厚さ
Ｗ  幅
【図１】
2019000039.tif 000004
【図２】
2019000039.tif 000005
【図３】
2019000039.tif 000006
【図４】
2019000039.tif 000007
【図５】
2019000039.tif 000008
【図６】
2019000039.tif 000009